(57)【要約】【課題】  外部装置で３次元映像を鑑賞している状態で、他の表示装置で表示している３次元映像を鑑賞しようとしても、表示方式の違いが有る等の理由により、同時には３次元映像を見ることが出来ない場合が有った。【解決手段】  外部装置に３次元映像信号を出力する場合に、映像表示装置の表示部を２次元表示にする事によって、外部装置が３次元映像を表示している場合でも、同時に映像表示装置の表示部を視認する事が容易になる。【選択図】  図３
2013058847.tif 000002
【特許請求の範囲】
【請求項１】
表示部と、
前記表示部へ３次元映像を表示する第１の表示モードと、前記表示部へ２次元映像を表示する第２の表示モードとからいずれかを選択するする制御部と、
外部装置と接続する接続部とを有し、
前記制御部は、前記接続部を介して前記外部装置に接続している状態で、前記外部装置に３次元映像を出力する場合には、前記第２の表示モードを設定することを特徴とする表示装置。
【請求項２】
前記外部装置の映像表示方式に関する情報を取得する取得部と、
前記制御部は、前記取得部で取得した前記映像表示方式に応じて、前記第１の表示モードと前記第２の表示モードのいずれかを設定することを特徴とする請求項１に記載の表示装置。
【請求項３】
前記外部装置の前記映像表示方式が、眼鏡を要する３次元映像表示方式である場合に、前記制御部は前記第２の表示モードを設定することを特徴とする請求項１または２に記載の表示装置。
【請求項４】
前記眼鏡を要する３次元映像表示方式とは、少なくとも、アクティブシャッター方式、偏光方式、分光方式のいずれかであることを特徴とする表示装置。
【請求項５】
前記制御部は、前記第１の表示モードで表示部に３次元映像を表示しているときに、前記外部装置と接続した場合に、前記第２の表示モードに設定を変更することを特徴とする請求項１ないし４のいずれか１項に記載の表示装置。
【請求項６】
前記制御部は、前記外部装置の３次元映像表示方式と前記表示装置の３次元映像表示方式とが同じである、または、前記外部装置で３次元映像を視認するための眼鏡が、前記表示装置で３次元映像を視認することが出来る場合に、前記第２の表示モードを設定することを特徴とする請求項１ないし５のいずれか１項に記載の表示装置。
【請求項７】
外部装置と接続する接続部と、３次元映像を表示可能な表示部を有する表示装置の制御方法であって
前記表示部へ３次元映像を表示する第１の表示モードと、前記表示部へ２次元映像を表示する第２の表示モードとからいずれかを選択するする制御工程と、
前記接続部を介した前記外部装置との接続を検知する検知工程と、
を有し、
前記検知工程で前記外部装置との接続を検知した後、前記制御工程は、前記外部装置に３次元映像を出力する場合には、前記第２の表示モードを設定することを特徴とする制御方法。
【請求項８】
前記外部装置の映像表示方式に関する情報を取得する取得工程を有し、
前記制御工程は、前記取得工程で取得した前記映像表示方式に応じて、前記第１の表示モードと前記第２の表示モードのいずれかを設定することを特徴とする請求項７に記載の制御方法。
【請求項９】
前記制御工程は、前記第１の表示モードで表示部に３次元映像を表示しているときに、前記外部装置と接続したことを検知した場合に、前記第２の表示モードに設定を変更することを特徴とする請求項７または８に記載の制御方法。
【請求項１０】
前記制御工程は、前記外部装置の３次元映像表示方式と前記表示装置の３次元映像表示方式とが同じである、または、前記外部装置で３次元映像を視認するための眼鏡が、前記表示装置で３次元映像を視認することが出来る場合に、前記第２の表示モードを設定することを特徴とする請求項７ないし９のいずれか１項に記載の制御方法。
【発明の詳細な説明】
【技術分野】
【０００１】
本発明は、３次元映像信号を表示部に表示可能な表示装置に関する。
【背景技術】
【０００２】
近年、視差による脳の錯覚を利用して２次元の映像を立体的に認識させる３次元映像表示装置が提案されている。３次元映像の表示方式としては、ぞれぞれ左右の目に対応する映像を交互に表示し、対応する目でのみ映像が見えるように視聴者が装着した眼鏡のシャッターを制御するアクティブシャッター方式が知られている。また、ディスプレイ上の１ライン毎に交互に右目用映像と左目用映像を表示し、右目用映像のラインと左目用映像のラインに異なる偏光を与え、眼鏡にも対応する偏光を持たせる事でぞれぞれ左右の目に異なる映像を認識させる偏光方式も知られている。偏光の変わりに分光を用いる方法もある。また、裸眼で３Ｄ視認が可能な方式としては、ディスプレイの前面にスリット状のバリアを設け、左右の目にそれぞれ異なる映像を見せる視差バリア方式が知られている。また、ディスプレイ前面に微細なレンズを多数設け、左右の目にそれぞれ異なる映像を見せるレンチキュラー方式も知られている。
【０００３】
一方、２次元映像表示と３次元映像表示の両方に対応した表示装置も知られている。
【０００４】
特許文献１では、３Ｄイメージを表示可能な表示部を備える携帯電話において、数字キー、＃や＊キー、電話キー、メールキー、カメラキー以外のキーが操作されたことにより、３Ｄイメージ表示画面を２Ｄイメージの表示画面に切り替えている。
【先行技術文献】
【特許文献】
【０００５】
【特許文献１】特開２００４−１０９３３０号公報
【発明の概要】
【発明が解決しようとする課題】
【０００６】
しかしながら、３次元映像信号を外部装置に出力したとしても、表示装置と外部装置の３次元映像の表示方式が異なる場合などにおいては、表示装置と外部装置に表示された３次元映像を同時に正しく視認できないという課題があった。これは、例えば、３次元表示が可能なＰＣの操作とＰＣに接続された大画面ＴＶ等の映像確認を交互に行う場合などに不便であった。上記の先行技術においては、ユーザのキー操作をトリガに表示を２次元から３次元に切り換えているが、３次元表示が可能な複数の表示装置を同時に視聴したり、交互に確認したりする場合に、各表示装置をそれぞれ操作するのは面倒である。
【課題を解決するための手段】
【０００７】
上記課題を解決するため、本発明に係る表示装置は、表示部と、表示部へ３次元映像を表示する第１の表示モードと、表示部へ２次元映像を表示する第２の表示モードとからいずれかを選択するする制御部と、外部装置と接続する接続部とを有し、制御部は、接続部を介して外部装置に接続している状態で、外部装置に３次元映像を出力する場合には、第２の表示モードを設定することを特徴とする。
【発明の効果】
【０００８】
本発明によれば、映像表示装置において、外部装置に３次元映像信号を出力する場合に、映像表示装置の表示部を２次元表示にする事によって、外部装置で３次元映像を鑑賞している場合でも、同時に映像表示装置の表示部を正しく視認する事が出来るようになる。
【０００９】
特に、映像表示装置の表示部２次元映像を表示するようにするのえ、外部装置に対応した眼鏡をかけて３次元映像を鑑賞している状態のままでも、映像表示装置の表示部内容を確認しやすくなる。
【００１０】
また、接続した外部装置の能力を参照し、外部装置の３次元映像と映像表示装置の３次元映像とが同時に視認可能な方式であると判断した場合には、映像表示装置の３次元表示を継続し、同時に視認不能な方式であると判断した場合には一方の装置を２次元表示にする。これによって、よりユーザーの利便性を高める事が出来る。
【図面の簡単な説明】
【００１１】
【図１】実施例のＰＣの構成例を示す図
【図２】実施例のＰＣのブロック図
【図３】実施例のＰＣの制御フローチャート
【図４】実施例のＰＣのブロック図
【図５】実施例のＰＣの制御フローチャート
【発明を実施するための形態】
【００１２】
（実施例１）
以下、図面を参照して本発明の好適な実施形態を説明する。
【００１３】
本発明の実施例は、図１に示すように、表示装置１００、接続ケーブル２００、外部装置３００から構成される。
【００１４】
表示装置１００は、表示部、制御部、入力部等を有する一般的なパーソナルコンピュータ（以下、ＰＣ）を用いて構成可能なものである。本実施例では、ＰＣ１００の３次元映像表示方式はアクティブシャッター方式を用いるとする。なお、ＰＣ１００は、表示部が３次元映像を表示する表示モードと、２次元映像を表示する表示モードとに対応しており、いずれの表示モードを設定するのかをＣＰＵが制御している。
【００１５】
外部装置３００は、３次元映像信号の受信と３次元映像の表示が可能なテレビジョン受信機（以下、ＴＶ）である。本実施例では、外部装置３００の３次元映像表示方式はアクティブシャッター方式を用いるとする。
【００１６】
ＰＣ１００とＴＶ３００は接続ケーブル２００を介して接続され、映像データ及び音声データ（以下、映像音声信号）がＰＣ１００からＴＶ３００に伝送される。本実施例では、接続ケーブル２００はＨＤＭＩ規格に準拠したＨＤＭＩケーブルであるとする。尚、ＨＤＭＩケーブルは、図示されない、機器間制御コマンドを伝送するＣＥＣライン、電源情報を伝送する＋５Ｖライン、接続検知情報を伝送するＨＰＤ（Ｈｏｔ  Ｐｌｕｇ  Ｄｅｔｅｃｔ）等を含む。
【００１７】
図２は、本発明を適用可能なＰＣ１００の一例を示すブロック図である。
【００１８】
図２において、内部バス１１１に対してＣＰＵ１０１、ハードディスク１０２、メモリ１０３、表示制御部１０４、入力部１０５、ドライブ装置１０６、データ出力部１２０が接続される。内部バス１１１に接続される各部は、内部バス１１１を介して互いにデータのやりとりを行うことができるようにされている。
【００１９】
ハードディスク１０２は、映像データやその他のデータ、ＣＰＵ１０１が動作するための各種プログラムなどが格納される。本実施例に記載の制御を、ＣＰＵ１０１が読み込み実行するためのプログラムも、このハードディスク１０２に記録されている。
【００２０】
メモリ１０３は、例えばＲＡＭからなる。ＣＰＵ１０１は、例えばハードディスク１０２に格納されるプログラムに従い、メモリ１０３をワークメモリとして用いて、このＰＣ１００の各部を制御する。なお、ＣＰＵ１０１が動作するためのプログラムは、ハードディスク１０２に格納されるのに限られず、例えば図示されないＲＯＭに予め記憶しておいてもよい。
【００２１】
入力部１０５は、ユーザ操作を受け付け、操作に応じた制御信号を生成し、ＣＰＵ１０１に供給する。例えば、入力部１０５は、ユーザ操作を受け付ける入力デバイスとして、キーボードといった文字情報入力デバイスや、マウスやタッチパネルといったポインティングデバイスなどを有する。なお、タッチパネルは、例えば平面的に構成された入力部に対して接触された位置に応じた座標情報が出力されるようにした入力デバイスである。ＣＰＵ１０１は、入力デバイスに対してなされたユーザ操作に応じて入力部１０５で生成され供給される制御信号に基づき、ＰＣ１００の各部を制御する。これにより、ＰＣ１００に対し、ユーザ操作に応じた動作を行わせることができる。
【００２２】
表示制御部１０４は、ディスプレイ（表示部）１１０に対して映像を表示させるための表示信号を出力する。例えば、表示制御部１０４に対して、ＣＰＵ１０１がプログラムに従い生成した表示制御信号が供給される。表示制御部１０４は、この表示制御信号に基づき表示信号を生成してディスプレイ１１０に対して出力する。例えば、表示制御部１０４は、ＣＰＵ１０１が生成する表示制御信号に基づき、ＧＵＩ（Ｇｒａｐｈｉｃａｌ  Ｕｓｅｒ  Ｉｎｔｅｒｆａｃｅ）を構成するＧＵＩ画面をディスプレイ１１０に対して表示させる。また、ＣＰＵ１０１は、ディスプレイ１１１に２次元映像を表示する表示モードと、３次元映像を表示する表示モードとをユーザの指示により、または自動的にモードの設定を切り替える制御が可能である。表示制御部１０４は、ＣＰＵ１０１の制御による表示モードの設定に応した表信号を表示制御部１０４がディスプレイ１１０に出力する。
【００２３】
３次元映像を表示する場合は、画面表示にあわせて、右目用映像が表示されているか左目用映像が表示されているかを示す信号を同期信号出力部１２２に対し送信する。
【００２４】
同期信号出力部１２２は、表示制御部１０４から受信した信号から、ディスプレイ１１０に表示中の映像が左右どちらの目に対応しているのかを判別し、眼鏡１２３がシャッターを制御するための同期信号を眼鏡１２３に対し送信する。同期信号は、赤外線や無線、有線のいずれの方法で伝送されてもよい。
【００２５】
眼鏡１２３は、同期信号出力部１２２から受信した同期信号に従い、対応するシャッターを制御する。左右の目に対応するシャッターをそれぞれ交互にＯｎ／Ｏｆｆする事で、表示されている映像に対応する目でのみ映像を見る事が可能となる。
【００２６】
なお、入力部１０５としてタッチパネルを用いる場合、入力部１０５とディスプレイ１１０とを一体的に構成することができる。例えば、タッチパネルを光の透過率がディスプレイ１１０の表示を妨げないように構成し、ディスプレイ１１０の表示面の上層に取り付ける。そして、タッチパネルにおける入力座標と、ディスプレイ１１０上の表示座標とを対応付ける。これにより、恰もユーザがディスプレイ１１０上に表示された画面を直接的に操作可能であるかのようなＧＵＩを構成することができる。
【００２７】
ドライブ装置１０６は、ＣＤやＤＶＤといった外部記憶媒体１０８が装着可能とされ、ＣＰＵ１０１の制御に基づき、装着された外部記憶媒体１０８からのデータの読み出しや、当該外部記憶媒体１０８に対するデータの書き込みを行う。なお、ドライブ装置１０６が装着可能な外部記憶媒体１０８は、ＣＤやＤＶＤといったディスク記録媒体に限られず、例えばメモリカードなどの不揮発性の半導体メモリをドライブ装置１０６に装着するものとしてもよい。
【００２８】
データ出力部１２０は、接続部１２１を介してＴＶ３００に３次元映像音声信号及び２次元映像信号を出力する。本実施例では、ＨＤＭＩ規格に準拠した映像音声信号が送信されるものとする。
【００２９】
接続部１２１は、接続ケーブル２００が接続される接続部である。本実施例では、接続部１２１はＨＤＭＩ規格に準拠したコネクタである。
【００３０】
尚、ＰＣ１００とＴＶ３００の接続にＨＤＭＩを用いるが、３次元及び２次元の映像音声信号の伝送が可能な接続手段であればＨＤＭＩ以外の方法を用いてもよく、例えばＩＥＥＥ１３９４やＵＳＢなどの利用が考えられる。
【００３１】
尚、ＰＣ１００の３次元映像表示方式としてアクティブシャッター方式を用いるが、偏光方式や分光方式であってもよい。また、視差バリア方式やレンチキュラー方式であってもよい。
【００３２】
尚、ＴＶ３００の３次元映像表示方式としてアクティブシャッター方式を用いるが、偏光方式や分光方式であってもよい。また、視差バリア方式やレンチキュラー方式であってもよい。
【００３３】
次に図３に基づいて、本発明を実施したＰＣ１００における３次元表示と２次元表示との切り替え制御について説明する。
【００３４】
ステップＳ３０１では、ＰＣ１００がＴＶ３００に接続している状態で、ＴＶ３００に３次元映像を出力する状態であるかを判断する。
【００３５】
３次元映像を出力する状態への遷移は、入力部１０５を介したユーザ操作によりＣＰＵ１０１が３次元映像を出力するための指示を受信すると、データ出力部１２０に対し３次元映像信号の送信転送を開始する事で実現される。３次元映像信号は、ハードディスク１０２やドライブ装置１０６に挿入された外部記憶媒体１０８に記録されている。もしくは、ハードディスク１０２やドライブ装置１０６に挿入された外部記憶媒体１０８に記録された２次元映像データをＣＰＵ１０１が３次元映像データに変換して生成される。
【００３６】
ＰＣ１００が３次元映像を出力する状態でない場合は、ステップＳ３０２へ進む。３次元映像出力する状態である場合は、ステップＳ３０３へ進む。
【００３７】
ステップＳ３０２では、ディスプレイ１１０で３次元表示を行い、同期信号出力部１２２が眼鏡１２３に対し同期信号の出力を行う。
【００３８】
なお、このステップの以前にディスプレイ１１０に対して２次元映像を表示する表示モードが設定されていた場合には、ＣＰＵ１０１は、自動的に３次元映像を表示するモードへ設定を変更するように表示制御部１０４を制御する。
【００３９】
３次元表示は、ＣＰＵ１０１が表示制御部１０４へ３次元表示を指示し、表示制御部１０４が入力された左右の眼に対する映像信号を合成し、ディスプレイ１１０に３次元映像として表示することで実現する。
【００４０】
ステップＳ３０３では、ディスプレイ１１０で表示する映像を２次元で表示を行う。
【００４１】
もし、すでにＰＣ１００が、表示部に３次元映像を表示する表示モードであった場合には、ＣＰＵ１０１は、２次元映像の表示モードに設定を変更するように表示制御部１０４を制御する。
【００４２】
この様に制御することにより、ＴＶ３００とＰＣ１００のうち一方が３次元映像を表示する状態のときには、もう一方が２次元映像を表示することになる。そのため、仮に両機器で同時に３次元映像を表示すると、３次元映像方式が合わずに正しく視認できないような場合であっても、そのような状態になってしまうことを防止し、ＰＣの表示部とＴＶ３００の表示部分を同時に正しく視認可能になる。
【００４３】
（実施例２）
以下、図面を参照して本発明の好適な実施形態を説明する。
【００４４】
尚、実施例１と同様の部分については同じ記号を用い、説明を省略する。
【００４５】
装置構成は、実施例１の図１と同様に、ＰＣ１００とＴＶ３００は接続ケーブル２００を介して接続される。映像音声信号がＰＣ１００からＴＶ３００に伝送され、後述するＴＶ３００の３次元映像表示方式を含む能力情報がＴＶ３００からＰＣ１００へ伝送される。
【００４６】
本実施例では、接続ケーブル２００はＨＤＭＩ規格に準拠したＨＤＭＩケーブルであるとする。尚、ＨＤＭＩケーブルは、能力情報を伝送するＥＤＩＤライン、機器間制御コマンドを伝送するＣＥＣライン、電源情報を伝送する＋５Ｖライン、接続検知情報を伝送するＨＰＤ（Ｈｏｔ  Ｐｌｕｇ  Ｄｅｔｅｃｔ）等を含む。
【００４７】
尚、本実施例では、ＰＣ１００とＴＶ３００の接続にＨＤＭＩを用いるが、３次元及び２次元の映像音声信号の伝送が可能な接続手段であればＨＤＭＩ以外の方法を用いてもよく、例えばＩＥＥＥ１３９４やＵＳＢなどの利用が考えられる。
【００４８】
図４は、本発明の各実施形態を適用可能なＰＣ１００の一例を示すブロック図である。
【００４９】
図４において、内部バス１１１に対してＣＰＵ１０１、ハードディスク１０２、メモリ１０３、表示制御部１０４、入力部１０５、ドライブ装置１０６、データ出力部１２０、能力情報受信部１２４が接続される。内部バス１１１に接続される各部は、内部バス１１１を介して互いにデータのやりとりを行うことができるようにされている。
【００５０】
能力情報受信部１２４は、接続ケーブル２００を介してＴＶ３００の能力情報を受信する。本実施例では、能力情報としてＨＤＭＩ規格に準拠したＥＤＩＤ（Ｅｘｔｅｎｄｅｄ  Ｄｉｓｐｌａｙ  Ｉｄｅｎｔｉｆｉｃａｔｉｏｎ  Ｄａｔａ）を用いる。ＥＤＩＤは、ＰＣ１００とＴＶ３００の接続時にＴＶ３００からＰＣ１００に対して、接続ケーブル２００に含まれるＥＤＩＤラインを介して伝送される。ＥＤＩＤを受信した能力情報受信部１２４は、ＣＰＵ１０１に対しＥＤＩＤの内容を通知し、通知を受信したＣＰＵ１０１は、接続されたＴＶの能力情報を記録する。記録先としては、メモリ１０３、ハードディスク１０２、記録媒体１０８等が利用できる。本実施例では、メモリ１０３に記録する。能力情報には、３次元映像表示能力の有無や３次元映像表示方式等が含まれる。本実施例では、ＥＤＩＤを介した３次元映像表示方式の伝達にＶｅｎｄｏｒ−Ｓｐｅｃｉｆｉｃ  Ｄａｔａ  Ｂｌｏｃｋを利用する。
【００５１】
尚、本実施例では、能力情報の伝送にＥＤＩＤを用いるが、ＴＶの能力情報を伝達可能な手段であれば他の方法を用いてもよい。例えば、ＨＤＭＩ規格に規定されているＣＥＣ（Ｃｏｎｓｕｍｅｒ  Ｅｌｅｃｔｒｏｎｉｃｓ  Ｃｏｎｔｒｏｌ）コマンドを用いて能力情報を伝送してもよい。
【００５２】
尚、本実施例では、ＰＣ１００の３次元映像表示方式としてアクティブシャッター方式を用いるが、偏光方式や分光方式であってもよい。また、視差バリア方式やレンチキュラー方式であってもよい。
【００５３】
尚、本実施例では、ＴＶ３００の３次元映像表示方式としてアクティブシャッター方式を用いるが、偏光方式や分光方式であってもよい。また、視差バリア方式やレンチキュラー方式であってもよい。
【００５４】
次に図５に基づいて、本発明を実施したＰＣ１００における、ＴＶ３００の３次元表示方式に応じた３次元表示と、２次元表示との切り替え制御について説明する。
【００５５】
まず、ＰＣ１００は、３次元映像をＴＶ３００に出力するために、接続ケーブル２００をＴＶ３００に接続することに応じて図５のフローが始まる。
【００５６】
ステップＳ５０１では、ＰＣ１００がＴＶ３００から能力情報を取得し、取得した能力情報をメモリ１０３に記録するとともに、ＣＰＵ１０１は、メモリ１０３に記録されているＴＶ３００のＥＤＩＤを参照して、ＴＶ３００の３次元映像表示方式を判定する。
【００５７】
ＴＶ３００の３次元映像表示方式を判定した結果、ＰＣ１００とＴＶ３００とが、３次元映像の同時視認が可能と判断した場合には、ステップＳ５０２へ進む。一方、ＰＣ１００とＴＶ３００の３次元映像の同時視認が不可能と判断した場合には、ステップＳ５０３へ進む。
【００５８】
なお、Ｓ５０１でＰＣ１００とＴＶ３００とが、同時に３次元映像の視認が可能と判断する場合とは、ＰＣ１００とＴＶ３００の両方が裸眼で視認可能な３次元映像表示方式の場合や、同一の眼鏡で両装置の３次元映像の視認が可能と判断する場合を含む。
【００５９】
尚、ＰＣとＴＶの一方の３次元映像信号表示方式が眼鏡を要する方式で、一方が裸眼で視認可能な方式である場合であっても、裸眼で視認可能な３次元映像の表示をその眼鏡でも視認可能である場合には、同時に視認可能であると判断してもよい。
【００６０】
ステップＳ５０２では、ディスプレイ１１０で３次元表示を行い、同期信号出力部１２２が眼鏡１２３に対し同期信号の出力を行う。
【００６１】
なお、このステップの以前にディスプレイ１１０に対して２次元映像を表示する表示モードが設定されていた場合には、ＣＰＵ１０１は、自動的に３次元映像を表示するモードへ設定を変更するように表示制御部１０４を制御する。
【００６２】
３次元表示は、ＣＰＵ１０１が表示制御部１０４へ３次元表示を指示し、表示制御部１０４が入力された左右の眼に対する映像信号を合成し、ディスプレイ１１０に３次元映像として表示することで実現する。
【００６３】
ステップＳ５０３では、ディスプレイ１１０で２次元表示を行う。
【００６４】
もし、すでにＰＣ１００が、表示部に３次元映像を表示する表示モードであった場合には、ＣＰＵ１０１は、２次元映像の表示モードに設定を変更するように表示制御部１０４を制御する。
【００６５】
表示装置の３次元映像信号と同時視認可能な方式であると判断した場合には、表示装置の３次元表示を継続し、同時視認不能な方式であると判断した場合には２次元表示にする事によって、よりユーザーの利便性を高める事が出来る。
【００６６】
なお、上記の能力情報はＴＶ３００から通信により送信する以外に、ユーザの操作によりＰＣ１００に入力することで、ＣＰＵ１０１はＴＶ３００の能力情報を取得するように構成しても良い。または、ＰＣ１００はメモリに外部機器の種類に応じた３次元映像の表示能力の一覧を記憶しておき、ここから情報を読み出すことで、外部機器の３次元映像の表示能力を取得するようにしても良い。この様に通信により、あまたはユーザの入力や、予め記憶する情報からＣＰＵ１０１は、外部機器の３次元映像の表示能力を取得する取得部として機能する。
【００６７】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００６８】
１００  ＰＣ
２００  ＨＤＭＩケーブル
３００  ＴＶ
【図１】
2013058847.tif 000003
【図２】
2013058847.tif 000004
【図３】
2013058847.tif 000005
【図４】
2013058847.tif 000006
【図５】
2013058847.tif 000007